(57)【要約】      （修正有）【課題】反復使用に適するよう洗浄可能に二つ割りに分解でき、しかも、気密・水密性に優れ液体の吸引に支障のない吸い口となりうるストローを提供する。【解決手段】断面で半円弧形に押出成形される両半割部材からなり両側に継ぎ部を有するストローであって、一方の継ぎ部２において、一の半割部材の端に主軸５を形成し、他の半割部材には主軸を長手の端から通しスライドして嵌める軸受蟻溝６を設け、他方の継ぎ部３においては、いずれかの半割部材に副軸７を形成し、他の半割部材には主軸を中心とする軌道上に副軸を口合せに嵌め込む結合蟻溝８を設けてある。【選択図】図３
0003223347.tif 000002
【実用新案登録請求の範囲】
【請求項１】
断面で半円弧形に押出成形される両半割部材からなり両側に継ぎ部を有するストローであって、一方の継ぎ部において、一の半割部材の端に主軸を形成し、他の半割部材にはその主軸を長手の端から通しにスライドして嵌める軸受蟻溝を設け、他方の継ぎ部においては、いずれかの半割部材に副軸を形成し、他の半割部材には主軸を中心とする軌道上にその副軸を口合せに嵌め込む結合蟻溝を設けてあることを特徴とするストロー。
【請求項２】
両半割部材がアルミニゥムないしアルミニゥム合金で押出成形されていることを特徴とする請求項１記載のストロー。
【考案の詳細な説明】
【技術分野】
【０００１】
この考案は缶入りやコップ入りジュース等を飲むために使用するストローに関する。
【背景技術】
【０００２】
従来、使い捨てのストローは不法投棄されると最終的には海洋に集まり、そこでは波に揉まれて細かく砕かれ、その微細物を魚介類がプラクトンと間違って飲み込むことが海洋汚染として問題となっている。ストローの場合であると、大型動物がそのまま飲み込み胃に多量に残留することで事態が一層深刻であるために、外食産業などでは自主的に対策をとっているところもある。
【考案の概要】
【考案が解決しようとする課題】
【０００３】
対策として、極端にはストローの不使用の道がとられ、又は、使用後の廃棄につき分別の徹底がなされているが、これでは不都合な面があることから、ストローを紙や木に変えてゆく変化が起きている。また、ステンレスなどの金属製にして洗って反復使用する動きもある。しかし、特に金属の場合、再使用のため内部をきれいに洗浄することは困難であるという問題があった。
【０００４】
この考案は、上記のような実情に鑑みて、反復使用に適するよう洗浄可能に二つ割りに分解でき、しかも、気密・水密性に優れ液体の吸引に支障のない吸い口となりうるストローを提供することを課題とした。
【課題を解決するための手段】
【０００５】
上記の課題を解決するために、この考案は、断面で半円弧形に押出成形される両半割部材からなり両側に継ぎ部を有するストローであって、一方の継ぎ部において、一の半割部材の端に主軸を形成し、他の半割部材にはその主軸を長手の端から通しにスライドして嵌める軸受蟻溝を設け、他方の継ぎ部においては、いずれかの半割部材に副軸を形成し、他の半割部材には主軸を中心とする軌道上にその副軸を口合せに嵌め込む結合蟻溝を設けてあることを特徴とするストローを提供する。
【０００６】
ストローを上記のように構成したから、両半割部材を筒状に組み立ててから使用する。それには、まず、両方がほぼ二つ合わせとなる態勢において、一方の半割部材の軸受溝に端から他方の半割部材の主軸を通して半開き態勢でスライドし端揃いする（図３、図５参照）。そうすると、主軸を中心とする円軌道（１５矢印参照）の上において、結合蟻溝に副軸が口合わせの向きとなる。この状態では、主軸を中心として力を入れやすく、両半割部材を指で押しつぶすようにして圧着でき、結合蟻溝に副軸が嵌着する。これでは外す動作をしない限り外れな筒状に一体化するので、この状態でストローとして提供する。
【０００７】
逆に外すときには、両半割部材を引き違いにして互いにスライドさせて長手方向に引き出す。
【考案の効果】
【０００８】
以上説明したように、この考案のストローによれば、組み立てると筒状ないしパイプのようになるので、口に付けてジュース等を飲むために使用でき、組外すと中が露出するので十分に洗浄することができ、主軸を中心とする操作であるので組立て組外しも至って容易で確実性があり気密性を確保でき、簡便且つ衛生的に反復使用できるという優れた効果がある。
【図面の簡単な説明】
【０００９】
【図１】この考案のストローを組立て状態で大きさを例示する正面図である。
【図２】この考案のストローを両半割部材が差込みの直列となる組立て最初の手順で示す分解正面図である。
【図３】組立て次回の（片開き、符号１５参照）段階を示す横断面図である。
【図４】両閉じで組立てした完成品の横断面図である。
【図５】別の実施例を示す図３に対応する断面図である。
【図６】同実施例による図４に対応する完成品としての断面図である。
【考案を実施するための形態】
【００１０】
この考案のストローＰは、筒形を二つ割りした半割部材１Ａと１Ｂからなり（図１）、組み立てるとその完成品の大きさは、直径Ｄが約１０ｍｍ、長さＬが約２１０ｍｍの筒形となるものである。両側には継ぎ部２，３を有する。
【実施例１】
【００１１】
図３および図4は、一実施例を示したもので、両半割部材１Ａ、１Ｂがアルミ合金の押出形材からなり、その両方を互いに軸支する主軸５が両半割部材１Ａ，１Ｂの組立ての中心として設けられる。継ぎ部２において、半割部材１Ａにその主軸５が設けられ、他方の半割部材１Ｂには主軸５が嵌る軸受蟻溝６が設けられる。
【００１２】
継ぎ部3においては、一方の半割部材Ａに副軸7を設け、他方の半割部材Bに副軸７が落ち込む結合蟻溝8が設けられる。主軸５を中心とする円軌道１５上において蟻溝８に口合わせの位置に副軸７が待機する態勢である。そして、主軸５を中心に半割部材１Ｂが少し開き加減になっており、閉じが可能に軸受蟻溝６の片側に空き１３が設けられる。
【００１３】
半割部材１Ａを半割部材１Ｂに軸支するには、図２に示す如く、半割部材１Ａの主軸５の端に半割部材１Ｂの軸受蟻溝６を付き合わせ（矢印参照）スライドさせることにより、半割部材１Ａに半割部材１Ｂを合わせ半開きに並列させる。この場合、半割部材１Ｂの結合蟻溝８は、回動軌道１５の上に副軸７と口合わせの位置にあるため、主軸５を中心に半割部材１Ａに半割部材１Ｂを圧着し閉じると、結合蟻溝８に副軸７が脱出不能に嵌ることから、両軸５，７の左右で両部材Ａ，Ｂが不離一体化する。
【００１４】
これでストローＰとして使用できるが、使用後に解体するには、半割部材１Ａ、１Ｂを引き違いにスライドさせて分離させる。そうすれば、両方に水を噴きかけることにより綺麗に洗浄できることになる。
【実施例２】
【００１５】
図５および図６は、同様な別の実施例を示し、継ぎ部２，３を見えにくく内側に設けた点が異なっている。図５は図３に対応し、半割部材１Aに対して半割部材１Bが僅かの回動軌道１５で閉じることになっている（図６）。
【符号の説明】
【００１６】
Ｐ  ストロー
１Ａ，１Ｂ  半割部材
２，３  継ぎ部
５  主軸
６  軸受蟻溝
７  副軸
１５  回動軌道
【図１】
0003223347.tif 000003
【図２】
0003223347.tif 000004
【図３】
0003223347.tif 000005
【図４】
0003223347.tif 000006
【図５】
0003223347.tif 000007
【図６】
0003223347.tif 000008